(57)【要約】      （修正有）【課題】薄型化が図られた光ピックアップユニット及びディスクドライブ装置を提供する。【解決手段】ベースシャーシ３０と、光ディスク４が回転自在にチャッキングされるディスクテーブル３１と、光ピックアップ３２と、ベースシャーシ３０に支持され、光ピックアップ３２の光ディスク４の径方向に亘る移動をガイドするガイド軸３４，３５と、ガイド軸３４，３５と平行に支持されラック部材５０を介して光ピックアップ３２と係合されたリードスクリュー６０と、リードスクリュー６０を回転駆動する駆動モータ６１とを有するピックアップ搬送機構とを備え、駆動モータ６１は、ディスクテーブル３１にチャッキングされた光ディスク４のベースシャーシ３０に対する投影範囲外に位置されている。【選択図】図１２
2008084491.tif 000002
【特許請求の範囲】
【請求項１】
ベースシャーシと、
上記ベースシャーシに取り付けられ光ディスクが回転自在にチャッキングされるディスクテーブルと、
上記光ディスクに対して情報信号の記録及び／又は再生を行う光ピックアップと、
上記ベースシャーシに支持され、上記光ピックアップの上記光ディスクの径方向に亘る移動をガイドするガイド軸と、
上記ガイド軸と平行に支持されラック部材を介して上記光ピックアップと係合されたリードスクリューと、上記リードスクリューを回転駆動する駆動モータとを有するピックアップ搬送機構とを備え、
上記駆動モータは、上記ディスクテーブルにチャッキングされた上記光ディスクの上記ベースシャーシに対する投影範囲外に位置されている光ピックアップユニット。
【請求項２】
上記駆動モータは、上記リードスクリューと非平行に配置されるとともに歯車を介して該リードスクリューと連結されているモータ軸を備えることを特徴とする請求項１記載の光ピックアップユニット。
【請求項３】
上記歯車は、ネジ歯車であることを特徴とする請求項２記載の光ピックアップユニット。
【請求項４】
上記モータ軸は、上記リードスクリューの軸線方向に対して傾いて配置されていることを特徴とする請求項２記載の光ピックアップユニット。
【請求項５】
上記モータ軸と上記リードスクリューとは、中継軸を介して連結されていることを特徴とする請求項２記載の光ピックアップユニット。
【請求項６】
上記モータ軸と上記リードスクリューとは、共通の軸受け部材によって支持されていることを特徴とする請求項２記載の光ピックアップユニット。
【請求項７】
ベースシャーシと、上記ベースシャーシに取り付けられ光ディスクが回転自在にチャッキングされるディスクテーブルと、上記光ディスクに対して情報信号の記録及び／又は再生を行う光ピックアップと、上記ベースシャーシに支持され、上記光ピックアップを上記光ディスクの径方向に亘る移動をガイドするガイド軸と、上記ガイド軸と平行に支持されラック部材を介して上記光ピックアップと係合されたリードスクリューと、上記リードスクリューを回転駆動する駆動モータとを有するピックアップ搬送機構とを備え、上記駆動モータは、上記ディスクテーブルにチャッキングされた上記光ディスクの上記ベースシャーシに対する投影範囲外に位置されている光ピックアップユニットを備えたディスクドライブ装置。
【請求項８】
上記駆動モータは、上記リードスクリューと非平行に配置されるとともに歯車を介して該リードスクリューと連結されているモータ軸を備えることを特徴とする請求項７記載のディスクドライブ装置。
【請求項９】
上記歯車は、ネジ歯車であることを特徴とする請求項８記載のディスクドライブ装置。
【請求項１０】
上記モータ軸は、上記リードスクリューの軸線方向に対して傾いて配置されていることを特徴とする請求項８記載のディスクドライブ装置。
【請求項１１】
上記モータ軸と上記リードスクリューとは、中継軸を介して連結されていることを特徴とする請求項８記載のディスクドライブ装置。
【請求項１２】
上記モータ軸と上記リードスクリューとは、共通の軸受け部材によって支持されていることを特徴とする請求項８記載のディスクドライブ装置。
【請求項１３】
装置本体の内外に亘って挿脱自在に設けられたディスクトレイを有し、
上記光ピックアップユニットは、上記ディスクトレイに取り付けられていることを特徴とする請求項７記載のディスクドライブ装置。
【発明の詳細な説明】
【技術分野】
【０００１】
本発明は、ディスク状記録媒体に対する情報信号の記録及び／又は再生を行う光ピックアップユニット及び光ピックアップユニットを備えたディスクドライブ装置に関する。
【背景技術】
【０００２】
ノート型パソコンやデスクトップ型パソコンのドライブベイに組み込まれるディスクドライブ装置には、略矩形状に形成された装置本体と、装置本体の内外に亘ってスライド可能に設けられたディスクトレイを有するいわゆるトレイタイプのものが広く用いられている。この種のディスクドライブ装置２００は、一般に、図１４に示すように、上下一対のハーフが突き合わせ結合されてなる装置本体２０１と、光ディスク２０７が載置されるディスクトレイ２０２と、ディスクトレイ２０２に取り付けられ、載置された光ディスク２０７に対して情報信号の再生を行う光ピックアップユニット２０３とを有する。
【０００３】
ディスクトレイ２０２は、装置本体２０１の内外に亘ってスライド可能とされ、パソコン本体に搭載された装置本体２０１より引き出されることにより、光ピックアップユニット２０３のディスクテーブル２１１を外方に露出させ、光ディスク２０７のチャッキング及び排出が行われるものである。かかるディスクトレイ２０２には、円弧状に形成された収納壁２０４に囲まれることにより、光ディスク２０７が収納される収納凹部２０５が形成されている。この収納凹部２０５には、光ピックアップユニット２０３のディスクテーブル２１１及び対物レンズ２２１が臨まされている。そしてディスクトレイ２０２は、この収納凹部２０５に光ディスク２０７が載置されるとともに、ユーザの手によってディスクテーブル２１１に光ディスク２０７がチャッキングされ回転自在に保持する。
【０００４】
またディスクトレイ２０２は、収納凹部２０５の裏面側に光ピックアップユニット２０３が取り付けられている。ディスクトレイ２０２は、光ピックアップユニット２０３が取り付けられることにより、収納凹部２０５に設けられた開口部よりディスクテーブル２１１及び対物レンズ２２１が外方に臨まされる。
【０００５】
光ピックアップユニット２０３は、図１５に示すように、ユニット本体を構成するベースシャーシ２１０と、ベースシャーシ２１０と一体的に形成され、光ディスク２０７が取り付けられるディスクテーブル２１１と、ディスクテーブル２１１に載置された光ディスク２０７に対して情報信号の記録又は再生を行う光ピックアップ装置２１２と、光ピックアップ装置２１２を光ディスク２０７の径方向に亘って移動させるピックアップ搬送機構２１３と、光ピックアップ装置２１２のピックアップ搬送機構２１３による移動をガイドする一対のガイド軸２１４，２１４とを有する。
【０００６】
光ピックアップ装置２１２は、ピックアップベース２２０を備え、このピックアップベース２２０に、少なくとも、半導体レーザなどの図示しない光源と、この光源から照射した光ビームを光ディスク２０７の信号記録面に収束させて照射する対物レンズ２２１と、光ディスク２０７の記録面から反射の戻り光を検出する図示しない光検出器と、対物レンズ２２１を光ディスク２０７のフォーカシング方向及びトラッキング方向に駆動させる駆動系が配設されている。また光ピックアップ装置２１２は、ピックアップベース２２０の長手方向の両側がそれぞれガイド軸２１４，２１４に支持されている。
【０００７】
また、光ピックアップ装置２１２は、一方のガイド軸２１４と隣接して設けられ、ピックアップベース２２０を移動させるピックアップ搬送機構２１３のリードスクリュー２２５と係合するラック部材２２２が形成されている。
【０００８】
そして、光ピックアップ装置２１２は、ベースシャーシ２１０に配設された一対のガイド軸２１４，２１４に支持されることにより、光ディスク２０７の内外周に亘る移動をガイドされると共に対物レンズ２２１が光ディスク２０７の信号記録面と対峙される。
【０００９】
一方のガイド軸２１４と隣接して設けられ、光ピックアップ装置２１２を光ディスク２０７の径方向に亘って移動させるピックアップ搬送機構２１３は、図１５に示すように、ガイド軸２１４に隣接してこのガイド軸２１４と平行に光ディスク２０７の径方向に亘ってベースシャーシ２１０に取り付けられるとともにラック部材２２２と係合されるリードスクリュー２２５と、リードスクリュー２２５を回転駆動する送りモータ２２６とを有する。これらリードスクリュー２２５は、一端に送りモータ２２６が取り付けられることにより直接回転駆動され、あるいは送りモータ２２６と一又は複数のギヤを介して連結されることでギヤを介して回転駆動される。これによりリードスクリュー２２５は、ラック部材２２２介してピックアップベース２２０を光ディスク２０７の径方向に亘って移動させることができる。
【００１０】
【特許文献１】特開２００４−２３４７９８号公報
【発明の開示】
【発明が解決しようとする課題】
【００１１】
ところで、ノート型パソコンやデスクトップ型パソコン、ディスクプレーヤなどの電子機器の分野では、これら電子機器の高機能化が進む一方で、小型化、軽量化が図られている。そしてこれら電子機器に搭載されるディスクドライブ装置も、さらなる薄型化が求められるようになっている。
【００１２】
ここで、上述したディスクドライブ装置２００では、ドライブベイの狭小化に伴って装置本体２０１のスペースも狭小化されていることから、配置スペース上の都合で、図１５及び図１６に示すように、送りモータ２２６は、ディスクテーブル２１１にチャッキングされた光ディスク２０７のディスクトレイ２０２への投影面内に設けられている。
【００１３】
また、送りモータ２２６は、ＤＣモータやステッピングモータが多く用いられているが、現状ではその厚みが最低でも５ｍｍと、薄型化されたピックアップベース２２０の厚みよりも分厚い。したがって、図１６に示すような光ディスク２０７の投影面内に送りモータ２２６が配置されたディスクドライブ装置２００においては、光ピックアップユニット２０３の厚さとして、ディスクテーブル２１１にチャッキングされた光ディスク２０７を回転自在に保持するための規定の厚さに加え、送りモータ２２６の厚さが加わることとなり、薄型化を阻害していた。そして、光ピックアップユニット２０３の薄型化が阻害される結果、この光ピックアップユニット２０３が取り付けられるディスクトレイ２０２及びディスクトレイ２０２が収納される装置本体２０１の薄型化を図ることができない。
【００１４】
また光ピックアップユニット２０３の薄型化を図るべく、送りモータ２２６を小さくすれば、搬送トルクが減少し、満足なピックアップベース２２０の搬送を行うことができない。
【００１５】
そこで、本発明は、薄型化が図られた光ピックアップユニット及びこの光ピックアップユニットを用いることにより薄型化が図られたディスクドライブ装置を提供することを目的とする。
【課題を解決するための手段】
【００１６】
上述した課題を解決するために、本発明に係る光ピックアップユニットは、ベースシャーシと、上記ベースシャーシに取り付けられ光ディスクが回転自在にチャッキングされるディスクテーブルと、上記光ディスクに対して情報信号の記録及び／又は再生を行う光ピックアップと、上記ベースシャーシに支持され、上記光ピックアップの上記光ディスクの径方向に亘る移動をガイドするガイド軸と、上記ガイド軸と平行に支持されラック部材を介して上記光ピックアップと係合されたリードスクリューと、上記リードスクリューを回転駆動する駆動モータとを有するピックアップ搬送機構とを備え、上記駆動モータは、上記ディスクテーブルにチャッキングされた上記光ディスクの上記ベースシャーシに対する投影範囲外に位置されている。
【００１７】
また本発明に係るディスクドライブ装置は、ベースシャーシと、上記ベースシャーシに取り付けられ光ディスクが回転自在にチャッキングされるディスクテーブルと、上記光ディスクに対して情報信号の記録及び／又は再生を行う光ピックアップと、上記ベースシャーシに支持され、上記光ピックアップを上記光ディスクの径方向に亘る移動をガイドするガイド軸と、上記ガイド軸と平行に支持されラック部材を介して上記光ピックアップと係合されたリードスクリューと、上記リードスクリューを回転駆動する駆動モータとを有するピックアップ搬送機構とを備え、上記駆動モータは、上記ディスクテーブルにチャッキングされた上記光ディスクの上記ベースシャーシに対する投影範囲外に位置されている光ピックアップユニットを備えたものである。
【発明の効果】
【００１８】
本発明に係る光ピックアップユニット及びディスクドライブ装置によれば、厚さを要する送りモータを光ディスクの投影面外に配設しているため、ユニット全体の厚さの下限を規定していた送りモータを、光ディスクの投影面外でスペースに余裕のあるベースシャーシの上方へシフトさせることができる。これにより光ピックアップユニット及びディスクドライブ装置は、ユニット全体の下限が上方へシフトすることから、全体として薄型化を図ることができる。
【発明を実施するための最良の形態】
【００１９】
以下、本発明が適用された光ピックアップユニット及びディスクドライブ装置について、図面を参照しながら詳細に説明する。このディスクドライブ装置１は、ＣＤ（Compact Disc）、ＤＶＤ（Digital Versatile Disc）ＢＤ（Blu-ray Disc）等の光ディスクの再生用のドライブ装置であり、図１に示すように、ノート型パソコン等のホスト機器２のドライブベイに搭載されるものである。またディスクドライブ装置１は、図２に示すように、ドライブベイに搭載される外筐体となる装置本体３と、装置本体３の内部に設けられＤＶＤ等の光ディスク４が載置されるディスクトレイ５と、ディスクトレイ５に接続され、載置された光ディスク４に対して情報信号の再生を行う光ピックアップユニット６とを有する。
【００２０】
装置本体３は、ディスクトレイの挿脱面となる前面及び上面が開放された略矩形箱状をなし、例えば金属板から打ち抜き成形され、穴開け等の加工が施されて形成される。また装置本体３には、ディスクドライブ装置１の駆動を制御する制御回路やホスト機器２との接続を図る接続コネクタ等が形成された回路基板１７が配設されている。また、装置本体３は、ディスクトレイ５が装置本体３外へ引き出される前面と対向する側に背面壁３ａが形成され、これらを挟んだ両側縁部に側壁３ｂ，３ｃが立ち上がり形成されている。
【００２１】
相対向する側壁３ｂ，３ｃには、ディスクトレイ５の装置本体３からの挿脱をガイドするガイドレール１２が背面壁３ａ側から開放端にかけて形成されている。ガイドレール１２は、断面略コ字状に形成され、コ字状の凹部１２ａを装置本体３側に向けて配設されている。このガイドレール１２は、凹部１２ａにディスクトレイ５に接続されたガイド部材１３が摺動自在に係合されている。また、ガイドレール１２は、ディスクトレイ５が所定の長さ以上に装置本体３より引き出されることを防止するため、ガイド部材１３の摺動領域を規制するストッパー片１４が形成されている。このガイドレール１２に係合されるガイド部材１３は、断面略コ字状に形成され、ディスクトレイ５の両側面部を摺動可能に狭持する。そして、ガイド部材１３は、ディスクトレイ５が装置本体３から引き出し又は挿入されると、ガイドレール１２を摺動して、ディスクトレイ５のスムーズな移動を実現する。
【００２２】
また装置本体３の背面壁３ａ近傍に配設されている配線基板１７は、いわゆるリジット基板であり、配線パターンが形成されると共に、外部機器との接続を図るコネクタ等の各種電子部品が実装されている。また、配線基板１７は、後述する光ピックアップユニット６と接続されたＦＰＣ（Flexible Printed Circuit）２３が取り付けられている。
【００２３】
かかる装置本体３は、ホスト機器２のドライブベイに組み込まれると、開放された上面側に、ホスト機器２側の構成部材、例えばキーボードの裏面等が位置される。このように装置本体３は、上面に天板を配することなく開放することにより、さらなる薄型化を図っている。
【００２４】
この装置本体３より挿脱されるディスクトレイ５は、例えばＰＰＥ（ポリフェニレンエーテル）にガラスを２０％含有させた剛性を有する材料などを用いて形成されている。またディスクトレイ５は、光ディスク４が収納される収納凹部１５が形成されている。収納凹部１５は、光ディスク４と略同じ大きさの略円形の凹部からなり、光ディスク４が信号記録面を向けて載置される。また収納凹部１５は、主面部にディスクトレイ５に取り付けられた光ピックアップユニット６のディスクテーブル３１及び対物レンズ４６を光ディスク４側に臨ませる開口部１６が形成されている。開口部１６は、収納凹部１５の略中央部からディスクトレイ５の前面５ａ側にかけて形成されている。そして、開口部１６は、光ピックアップユニット６のベースシャーシ３０に取り付けられたカバー部材９０を介して上方に臨まされたディスクテーブル３１及び対物レンズ４６が光ディスク４の信号記録面側に臨まされている。
【００２５】
また収納凹部１５は、図３に示すように、周囲に略円弧状に形成された収納壁１９が形成されている。収納壁１９は、光ディスク４を収納凹部１５の中心へガイドすると共にディスクトレイ５からの脱落を防止するためのものであり、内壁側にテーパ面が形成されている。
【００２６】
図４に示すように、ディスクトレイ５は、収納凹部１５が設けられた主面５ｂ側と反対側の裏面５ｃ側に、後述する光ピックアップユニット６が収納される収納部２１及びディスクトレイ５を装置本体３内に係合保持する保持機構１８が形成されている。収納部２１には、光ピックアップユニット６と係合される複数の係合突起２５が突設されている。収納部２１は、係合突起２５に光ピックアップユニット６のベースシャーシ３０に設けられた複数の係合孔４４が係合されることにより光ピックアップユニット６が取り付けられる。
【００２７】
またディスクトレイ５は、装置本体３からの挿脱方向に亘って、ガイド部材１３に係合されるガイド突条２２が形成されている。ガイド突条２２は、上述したガイド部材１３に摺動自在に狭持され、装置本体３に対する挿脱がガイドされる。また、ガイド突条２２は、装置本体３側である背面５ｄ側の端部及びディスクトレイ５の引き出し方向である前面５ａ側の端部に、詳細を省略するストッパー片が設けられ、ガイド部材１３からの抜けや、ガイド部材１３の前面５ａ側への突き出しが防止されている。
【００２８】
ディスクトレイ５を装置本体３内に保持する保持機構１８については詳細を省略するが、例えば装置本体３より立設されている係合ピンに係合されるフックと、ディスクトレイ５を装置本体３外へ付勢する付勢部材と、フックと係合ピンとの係脱を制御する制御手段を備えたものを用いることができる。かかる保持機構１８は、ディスクトレイ５に光ディスク４が搭載されユーザによって装置本体３内に押し込まれるとフックが係合ピンに係合することで付勢部材の付勢力に拘わらずディスクトレイ５を装置本体３内に保持する。また保持機構１８は、ホスト機器２より取り出し信号を受けるとフックと係合ピンとの係合を解除し、付勢部材の付勢力によってディスクトレイ５を装置本体３外へ押し出す。
【００２９】
次いで、このディスクトレイ５の裏面５ｃ側に設けられた収納部２１内に組み付けられる光ピックアップユニット６について説明する。
【００３０】
この光ピックアップユニット６は、図５及び図６に示すように、ユニット本体を構成するベースシャーシ３０と、ベースシャーシ３０と一体的に形成され、光ディスク４が取り付けられるディスクテーブル３１と、ディスクテーブル３１に載置された光ディスク４に対して情報信号の記録又は再生を行う光ピックアップ装置３２と、光ピックアップ装置３２を光ディスク４の径方向に亘って移動させるピックアップ搬送機構３３と、光ピックアップ装置３２のピックアップ搬送機構３３による移動をガイドする一対のガイド軸３４，３５とを有する。
【００３１】
ベースシャーシ３０は、金属で形成された略矩形状のフレーム体をなし、光ピックアップ装置３２の対物レンズ４６を光ディスク４の信号記録面側に臨ませる開口部４１が形成されている。開口部４１は、略矩形状に形成されるとともに、長手方向の一端側に略円弧状の切欠部４２が形成されている。ベースシャーシ３０は、開口部４１の長手方向に亘って一対のガイド軸３４，３５が延設され、これらガイド軸３４，３５に支持された光ピックアップ装置３２が開口部４１を横切るように配設されている。また、開口部４１の切欠部４２には、光ディスク４が載置される円形のディスクテーブル３１及びディスクテーブル３１を回転駆動するスピンドルモータが配設されている。
【００３２】
またベースシャーシ３０は、後述する送りモータ６１を上方に臨ませるモータ用開口部３６が形成されている。後述するように、モータ用開口部３６からは送りモータ６１の上部が突出され、これにより光ピックアップユニット６のユニット厚さの薄型化が図られることとなる。
【００３３】
なおベースシャーシ３０には、ディスクトレイ５の裏面５ｃに形成された収納部２１内に複数設けられた係合突起２５に係合される係合孔４４が複数形成されている。ベースシャーシ３０は、係合孔４４が図示しないダンパーを介して係合突起２５にそれぞれ係合することにより収納部２１内に収納される。
【００３４】
ディスクテーブル３１に載置された光ディスク４に対して情報信号の記録又は再生を行う光ピックアップ装置３２は、略矩形の筐体からなるピックアップベース４５を備え、このピックアップベース４５に、少なくとも、半導体レーザなどの図示しない光源と、この光源から照射した光ビームを光ディスク４の信号記録面に収束させて照射する対物レンズ４６と、光ディスク４の記録面から反射の戻り光を検出する図示しない光検出器と、対物レンズ４６を光ディスク４のフォーカシング方向及びトラッキング方向に駆動させる駆動系が配設されている。また光ピックアップ装置３２は、ピックアップベース４５の長手方向の一端側４５ａに後述するガイド軸３４が挿通される挿通孔４７が形成され、他端部４５ｂに後述するガイド軸３５に係合する係合片４８が形成されている。ピックアップベース４５には、対物レンズ４６の駆動系を制御する駆動回路等が形成されたＦＰＣ２３が取り付けられている。
【００３５】
また、光ピックアップ装置３２は、ガイド軸３４と隣接して設けられ、ピックアップベース４５を移動させるピックアップ搬送機構３３のリードスクリュー６０と係合するラック部材５０が形成されている。
【００３６】
そして、光ピックアップ装置３２は、ベースシャーシ３０の開口部４１の相対向する側縁部に配設された一対のガイド軸３４，３５に支持されることにより、光ディスク４の内外周に亘る移動をガイドされると共に、対物レンズ４６が開口部４１より光ディスク４の信号記録面と対峙される。
【００３７】
この光ピックアップ装置３２の移動をガイドする一対のガイド軸３４，３５は、各両端部がフレーム４０の裏面に取り付けられたハウジング５２ａ〜５２ｄに支持されることにより、ベースシャーシ３０の開口部４１に相対向して配設されている。ガイド軸３４，３５は、両端部が胴体部分よりも細く形成され、この両端部がハウジング５２内に設けられたスキュー調整機構５１に支持され、このスキュー調整機構５１によって上下方向の傾きが調整される。
【００３８】
スキュー調整機構５１は、図５及び図６に示すように、一対のガイド軸３４，３５の各両端部に対応して４箇所に設けられている。このスキュー調整機構５１は、フレーム４０の裏面に設けられた第１〜第４のハウジング５２ａ〜５２ｄと、ハウジング５２内に設けられ、ガイド軸３４，３５を付勢する弾性部材５３と、円錐コイルバネ５３とガイド軸３４，３５を介して反対側に設けられ、ガイド軸３４，３５を上記円錐コイルバネ５３と反対側から押圧する調整ネジ５４とを有する。
【００３９】
第１〜第４のハウジング５２ａ〜５２ｄは、ベースシャーシ３０にビス止めされることにより、開口部４１の四隅に配設されている。第１〜第４のハウジング５２ａ〜５２ｄは、ガイド軸３４，３５の一端部が挿入される挿入口５５が形成されている。また各ハウジング５２ａ〜５２ｄ内には、ガイド軸３４，３５を付勢する円錐コイルバネ５３が収納されると共に、ベースシャーシ３０に穿設されたネジ穴に裏面側から挿通された調整ネジ５４が挿通されている。
【００４０】
円錐コイルバネ５３は、径の小さい先端側をガイド軸３４，３５の外周面と当接させ、径の大きい基端１２６ｂ側をハウジング５２の上面壁に当接されて配設されている。また調整ネジ５４は、ネジ頭の座面をガイド軸３４，３５の外周面に円錐コイルバネ５３が当接された側と反対側から当接させている。
【００４１】
スキュー調整機構５１は、調整ネジ５４を回転させることにより、ネジ頭の座面でガイド軸３４，３５の高さを調節し、これによって光ピックアップユニット６のスキュー調整を行う。なお円錐コイルバネ５３は、ガイド軸３４，３５が調整ネジ５４に押圧されると、ガイド軸３４，３５とハウジング５２の内壁に狭持されて、ガイド軸３４，３５と当接する小径の先端が大径の基端側の内側に入り込みながら圧縮される。
【００４２】
ガイド軸３４，３５に沿ってピックアップベース４５を移動させるラック部材５０は、一端をピックアップベース４５にビス止めされ、他端においてリードスクリュー６０の軸部６０ａに形成されたネジ溝６２と係合することにより軸部６０ａに沿って移動し、リードスクリュー６０の回転運動を直線移動に変換するものである。
【００４３】
このラック部材５０は、図６に示すように、リードスクリュー６０のネジ溝６２に係合する一対の係合突部５０ａと、係合突部５０ａをリードスクリュー６０のネジ溝６２側に付勢する付勢部材を収納する収納部５０ｂとを有する。そしてラック部材５０は、ピックアップベース４５より、ガイド軸３４を跨ぐようにしてリードスクリュー６０の軸部６０ａと対峙され、付勢部材に押圧された収納部５０ｂの収納壁に突設された係合突部５０ａを軸部６０ａのネジ溝６２に係合させている。
【００４４】
光ピックアップ装置３２を光ディスク４の径方向に亘って移動させるピックアップ搬送機構３３は、図６に示すように、ガイド軸３４に隣接してこのガイド軸３４と平行にベースシャーシ３０に取り付けられているリードスクリュー６０と、リードスクリュー６０を回転駆動する送りモータ６１とを有する。
【００４５】
リードスクリュー６０は、ネジ溝６２が形成された軸部６０ａ一端を第１のハウジング５２ａに回転自在に支持され、他端を後述する送りモータ６１のモータブラケット６６に支持されている。これによりリードスクリュー６０は、ガイド軸３４と平行に、かつ光ディスク４に対してガイド軸３４と略同じ高さに支持されている。またリードスクリュー６０は、軸部６０ａに、ピックアップベース４５に設けられたラック部材５０が係合されている。リードスクリュー６０は、送りモータ６１に回転駆動されることにより、ラック部材５０を介してピックアップベース４５を光ディスク４の径方向に亘って移動させることができる。
【００４６】
またリードスクリュー６０は、モータブラケット６６に支持されている他端側に、送りモータ６１のモータ軸６５と係合されるネジ歯車６３ａが取り付けられている。リードスクリュー６０は、モータ軸６５よりネジ歯車６３ａを介して回転力が伝達され、一方あるいは他方に回転駆動される。
【００４７】
このリードスクリュー６０を回転駆動する送りモータ６１は、スレッドモータとしてステッピングモータや直流モータが用いられる。そして、送りモータ６１は、ステッピングモータを用いた場合、矩形波によりステップ送りされることによってリードスクリュー６０を回転駆動して、ピックアップベース４５を光ディスク４の径方向に亘って移動させる。
【００４８】
また送りモータ６１は、モータ軸６５がリードスクリュー６０の軸部６０ａと非平行に配設されている。これにより送りモータ６１は、長手方向をリードスクリュー６０の軸線方向に向けて配置されることがないため、ベースシャーシ３０の領域を有効に用いることで、光ピックアップユニット６の小型化を図ることができる。
【００４９】
送りモータ６１は、モータ軸６５の先端部にネジ歯車６３ｂが取り付けられ、このネジ歯車６３ｂがネジ歯車６３ａと係合されることにより、上記リードスクリュー６０の軸部６０ａと連結されている。具体的に、リードスクリュー６０及び送りモータ６１は、それぞれ軸部６０ａの他端及びモータ軸６５の先端が共にモータブラケット６６に回転自在に支持されるとともに、これにより軸部６０ａ及びモータ軸６５に取り付けられているネジ歯車６３ａ，６３ｂが係合される。
【００５０】
モータブラケット６６は、図７に示すように、モールド成型された棒状の部材であり、長手方向の一端に送りモータ６１のモータハウジング６１ａが取り付けられる側壁６６ａが形成され、長手方向の他端にはモータ軸６５及びリードスクリュー６０の軸部６０ａを支持する軸受け部６６ｂが形成されている。またモータブラケット６６は、長手方向の両側に、ベースシャーシ３０に穿設された係合孔に係合される係合突部６７と、ベースシャーシ３０にネジ止めされるネジ孔６８が、それぞれ形成されている。
【００５１】
側壁６６ａには、ネジ孔が形成されるとともに、ネジ６９によってモータハウジング６１ａが接続されている。また側壁６６ａは、モータハウジング６１ａより突設されているモータ軸６５が挿通する開口部７０が穿設されている。開口部７０を挿通したモータ軸６５は、モータブラケット６６の他端に設けられた軸受け部６６ｂの軸孔７２に挿通支持される。
【００５２】
軸受け部６６ｂは、側壁６６ａと相対向する側面にモータ軸６５の先端を支持するモータ軸用軸孔７２が形成され、またベースシャーシ３０に取り付けられたときにリードスクリュー６０の軸部６０ａの軸線方向に対する面に軸部６０ａの先端を支持するリードスクリュー用軸孔７３が形成されている。これらモータ軸用軸孔７２とリードスクリュー用軸孔７３とは、異なる高さに形成されており、図８に示すように、モータ軸６５とリードスクリュー６０の軸部６０ａとは立体交差するように支持される。またモータ軸６５とリードスクリュー６０は、モータブラケット６６に支持されることにより、モータ軸６５及び軸部６０ａに取り付けられているネジ歯車６３ａ，６３ｂが係合される。
【００５３】
かかるモータブラケット６６は、係合突部６７がベースシャーシ３０に穿設された係合孔に係合されるとともに、ネジ孔６８を介してベースシャーシ３０にネジ止めされることにより、ベースシャーシ３０の裏面側に固定される。このとき、送りモータ６１は、上部がベースシャーシ３０に穿設されたモータ用開口部３６から上方に臨まされ、上面がベースシャーシ３０と略同一の高さか、ベースシャーシ３０の上面より突出される。
【００５４】
以上のようなピックアップ搬送機構３３は、ホスト機器２によってピックアップベース４５が駆動されるときは、ホスト機器２のマイコンによってサーボ制御された送りモータ６１が、モータ軸６５を所定の回転数だけ回転駆動する。したがってモータ軸６５の先端に取り付けられたネジ歯車６３ｂを介して、ネジ歯車６３ａが取り付けられたリードスクリュー６０の軸部６０ａが所定回数だけ回転される。これにより軸部６０ａと係合するラック部材５０が軸部６０ａに沿って移動され、ピックアップベース４５が光ディスク４の径方向に亘って搬送される。
【００５５】
かかる光ピックアップユニット６は、図６に示すように、送りモータ６１及びモータブラケット６６が、ディスクテーブル３１にチャッキングされた光ディスク４の投影面外に配設されることにより、ユニット全体の薄型化が図られている。すなわち、光ピックアップユニット６は、光ディスク４を回転自在に保持するために光ディスク４の上方に規定のスペースを確保しなければならず、これによりユニット全体の上限が決まる。そして、従来の光ピックアップユニットでは光ディスクの下方に、最も厚さを稼いでいた送りモータを配していたため、この送りモータ６１の下面の位置によってユニット全体の下限が決まる。したがって従来の光ピックアップユニットでは、ユニット全体の厚さが、光ディスク４を保持するための規定のスペースに加え、送りモータの厚さが加わり、全体として分厚くなっていた。
【００５６】
この点、光ピックアップユニット６においては、図６及び図９に示すように、厚さを要する送りモータ６１を光ディスク４の投影面外に配設し、光ディスク４の下面から逃しているため、ユニット全体の厚さの下限を規定していた送りモータ６１を、光ディスク４の投影面外でスペースに余裕のあるベースシャーシ３０の上方へシフトさせることができる。これにより光ピックアップユニット６は、ユニット全体の下限が上方へシフトすることから、全体として薄型化を図ることができる。あるいは、光ピックアップユニット６は、送りモータ６１が上方へシフトさせることで、ユニット全体の厚さの下限を規定する構成要素が送りモータ６１から、別の部材、例えばリードスクリュー６０の軸部６０ａに取り付けられているネジ歯車６３ａに移り、厚さを稼いでいた送りモータ６１がユニット全体の厚さの決定に関わらなくなることで、ユニット全体の薄型化を図ることができる。
【００５７】
なお、送りモータ６１は、光ディスク４の投影面外に配設した場合でも、光ディスク４の上方に確保する規定のスペースを超えることはないため、ユニット全体の上限に影響はない。
【００５８】
また、光ピックアップユニット６は、分厚い送りモータ６１を採用しても、光ディスク４上の規定のスペースを超えない限度であれば、ユニット全体の厚み増加につながらないことから、必要十分なトルクを発揮できる送りモータ６１を採用することができる。
【００５９】
また、このように光ピックアップユニット６の薄型化が図られることにより、ディスクドライブ装置１は、光ピックアップユニット６が収納されるディスクトレイ５及びディスクトレイ５が配設される装置本体３の薄型化を図ることができる。
【００６０】
さらに、光ピックアップユニット６は、モータ軸６５とリードスクリュー６０の軸部６０ａとを、モータブラケット６６の軸受け部６６ｂに形成されたモータ軸用軸孔７２とリードスクリュー用軸孔７３によって支持している。これにより光ピックアップユニット６は、モータ軸６５とリードスクリュー６０の軸部６０ａとに取り付けられているネジ歯車６３ａ，６３ｂを精度よく係合させることができ、確実に送りモータ６１の回転力をリードスクリュー６０へ伝達させることができる。
【００６１】
一方、モータ軸６５とリードスクリュー６０の軸部６０ａとを、それぞれ別の軸受け部材によって支持する場合では、各軸受け部材の製品精度や組立精度の誤差などによって軸間のバラツキが生じてしまい、ネジ歯車６３ａ，６３ｂを精度よく係合させることができず、送りモータ６１の回転力を効率よくリードスクリュー６０へ伝達させることができなくなる。
【００６２】
したがって光ピックアップユニット６では、モールド成型によってモータブラケット６６の軸受け部６６ｂにモータ軸用軸孔７２とリードスクリュー用軸孔７３とを形成し、これによりモータ軸６５とリードスクリュー６０の軸部６０ａとを支持することで、ネジ歯車６３ａ，６３ｂとを精度よく係合させることができる。
【００６３】
なお、以上のような光ピックアップユニット６は、図２及び図３に示すように、ベースシャーシ３０の上面側にカバー部材９０がビス止めされ、下面側に底板９１がディスクトレイ５にビス止めされることによってカバー部材９０及び底板９１に狭持される。
【００６４】
カバー部材９０は、光ピックアップ装置３２に形成された対物レンズ４６及びディスクテーブル３１を上方に臨ませる開口部９２が形成されている。開口部９２は、ピックアップベース４５の移動領域に応じて、光ディスク４の内周側から外周側にかけて略矩形状に形成された矩形開口部９２ａと、ディスクテーブル１８に対応して矩形開口部９２ａの内周側端部と連続して略円形に形成された円形開口部９２ｂとを有する。
【００６５】
このカバー部材９０は、ベースシャーシ３０がディスクトレイ５の収納部２１に収納されると、図３に示すように、ディスクトレイ５の開口部１６より光ディスク４側に臨まされ、収納凹部１５の一部を構成する。カバー部材９０は、ベースシャーシ３０にビス止めされているため、ベースシャーシ３０側に密着され、収納凹部１５からの浮き上がりが防止され、カバー部材９０の主面や開口部９２の開口端によって光ディスク４の信号記録面を傷つけることが防止される。
【００６６】
また、底板９１は、アルミニウムの板状体を打ち抜き成形することにより形成されている。底板９１は、所定のビス孔が形成され、ディスクトレイ５の収納部２１内に収納されたベースシャーシ３０の下面側より収納部２１にビス止めされることによりベースシャーシ３０を狭持してディスクトレイ５に接続されている。
【００６７】
また、本発明が適用された光ピックアップユニット６は、図１０に示すように、必要に応じて送りモータ６１及びモータ軸６５をリードスクリュー６０の軸線方向に対して傾けて配置させるようにしてもよい。これは、上述したように、送りモータ６１を光ディスク４の投影面外に配設させるとともに、ベースシャーシ３０の上方へシフトさせることで送りモータ６１の下限を他の構成部材、例えばリードスクリュー６０の軸部６０ａに取り付けられているネジ歯車６３ａと略同じとすることによりユニット全体の薄型化を図ると共に、送りモータ６１の上方へスペースを確保し、送りモータ６１上方に位置するディスクトレイ５の収納壁１９に、所望の厚みを持たせ、その剛性を確保することができる。
【００６８】
ここで、モータ軸６５と連結されているリードスクリュー６０の軸部６０ａは、光ピックアップユニット６のピックアップベース４５とラック部材５０を介して連結されるとともに、ピックアップベース４５のガイド軸３４，３５に沿って搬送させるものであるため、光ディスク４の投影面内に配設されており、またラック部材５０がガイド軸３４を跨いでリードスクリュー６０の軸部６０ａと対峙され、収納部５０ｂに配設された付勢部材によりリードスクリュー６０のネジ溝６２に係合突部５０ａを付勢していることから、ガイド軸３４と平行で、かつ略同じ高さに配置させることが好ましい。
【００６９】
したがって、光ピックアップユニット６は、送りモータ６１のシフトに応じてリードスクリュー６０の軸部６０ａの高さを追従させることは困難であるが、送りモータ６１を傾けて配置することにより、リードスクリュー６０の軸部６０ａとの連結を図ることができる。なお、モータ軸６５とリードスクリュー６０の軸部６０ａとは、ネジ歯車６３ａ，６３ｂを介して連結させていることから、送りモータ６１を傾けて配置させた場合にも、ネジ歯車６３ａ，６３ｂ同士の係合は問題なく行うことができる。
【００７０】
また、本発明が適用された光ピックアップユニット６は、図１１に示すように、リードスクリュー１００の一端部に送りモータ１０１を取り付け、直接送りモータ１０１でリードスクリュー１００を回転駆動させるようにしてもよい。このときも光ピックアップユニット６は、厚みを有する送りモータ１０１を光ディスク４の投影面外に配設しているため、ユニット全体の厚さの下限を規定していた送りモータ１０１を、光ディスク４の投影面外でスペースに余裕のあるベースシャーシ３０の上方へシフトさせることができる。これにより光ピックアップユニット６は、ユニット全体の下限が上方へシフトすることから、全体として薄型化を図ることができる。
【００７１】
なお、リードスクリュー１００の軸線上に送りモータ１０１を設ける構成は、ベースシャーシ３０に、リードスクリュー１００の軸線方向に亘ってスペース上の余裕がある場合に採用することができる。
【００７２】
また、本発明が適用された光ピックアップユニット６は、図１２及び図１３に示すように、リードスクリュー６０の軸部６０ａと、送りモータ６１のモータ軸６５とを中継軸１１０を介して連結させるようにしてもよい。中継軸１１０は、一端に軸部６０ａに取り付けられているネジ歯車６３ａと係合する第１の中継ネジ歯車１１０ａが取り付けられ、他端にモータ軸６５に取り付けられているネジ歯車６３ｂと係合する第２の中継ネジ歯車１１０ｂが取り付けられている。
【００７３】
図１２に示すように、中継軸１１０は、ガイド軸３４と隣接して配置されているリードスクリュー６０の軸部６０ａからガイド軸３５側に向かって配置されると共に、送りモータ６１及びモータ軸６５がディスクテーブル３１側から係合されている。中継軸１１０を介在させることにより、光ピックアップユニット６は、送りモータ６１及びモータ軸６５の配設位置がディスクテーブル３１側にシフトされるため、ベースシャーシ３０のリードスクリュー６０の軸線方向に亘るスペースを短くすることができ、さらなる小型化を実現できる。
【００７４】
なお、このときも光ピックアップユニット６は、厚さを有する送りモータ６１を光ディスク４の投影面外に配設しているため、ユニット全体の厚さの下限を規定していた送りモータ６１を、光ディスク４の投影面外でスペースに余裕のあるベースシャーシ３０の上方へシフトさせることができる。これにより光ピックアップユニット６は、ユニット全体の下限が上方へシフトすることから、全体として薄型化を図ることができる。
【００７５】
以上、本発明が適用された光ピックアップユニット及びディスクドライブ装置について説明したが、本発明は、上記ディスクトレイ５を用いて光ディスク４の搬送を行うタイプのディスクドライブ装置に限らず、例えば搬送アームを用いて自動的に光ディスク４の搬送を行ういわゆるスロットインタイプのディスクドライブ装置など、あらゆるディスク搬送手段を備えたディスクドライブ装置に適用することができる。
【００７６】
またディスクドライブ装置として、ホスト機器に組み込まれるタイプ以外にも、携帯型のディスクプレーヤや据え置き型のディスクプレーヤ、記録媒体として光ディスクを用いるカムコーダなど、記録再生メディアとして光ディスクを用いるあらゆるディスクドライブ装置及び当該ディスクドライブ装置の光ピックアップユニットに適用することができる。
【図面の簡単な説明】
【００７７】
【図１】本発明に係る記録及び／又は再生装置が搭載されたノート型パソコンを示す斜視図である。
【図２】本発明に係る記録及び／又は再生装置を示す分解斜視図である。
【図３】ディスクトレイを示す斜視図である。
【図４】ディスクトレイ示す底面図である。
【図５】本発明に係る光ピックアップユニットを示す分解斜視図である。
【図６】ピックアップベースを示す底面図である。
【図７】モータブラケットを示す斜視図である。
【図８】モータブラケットを示す斜視図である。
【図９】本発明に係る光ピックアップユニットを示す側面図である。
【図１０】モータを傾けて配置した光ピックアップユニットを示す側面図である。
【図１１】本発明に係る他の光ピックアップユニットを示す平面図である。
【図１２】本発明に係る他の光ピックアップユニットを示す平面図である。
【図１３】本発明に係る他の光ピックアップユニットを示す側面図である。
【図１４】従来のディスクドライブ装置を示す分解斜視図である。
【図１５】従来の光ピックアップユニットを示す平面図である。
【図１６】従来の光ピックアップユニットを示す側面図である。
【符号の説明】
【００７８】
１  ディスクドライブ装置、２  ホスト機器、３  装置本体、４  光ディスク、５  ディスクトレイ、６  光ピックアップユニット、１２  ガイドレール、１５  収納凹部、１６  開口部、１７  回路基板、１８  保持機構、２１  収納部、２２  ガイド突条、２３  ＦＰＣ、３０  ベースシャーシ、３１  ディスクテーブル、３２  光ピックアップ装置、３３  ピックアップ搬送機構、３４，３５  ガイド軸、４５  ピックアップベース、４６  対物レンズ、５１  スキュー調整機構、６０  リードスクリュー、６１  送りモータ、６２  ネジ溝、６３  ネジ歯車、６５  モータ軸、６６  モータブラケット、７２  モータ軸用軸孔、７３  リードスクリュー用軸孔
【図１】
2008084491.tif 000003
【図２】
2008084491.tif 000004
【図３】
2008084491.tif 000005
【図４】
2008084491.tif 000006
【図５】
2008084491.tif 000007
【図６】
2008084491.tif 000008
【図７】
2008084491.tif 000009
【図８】
2008084491.tif 000010
【図９】
2008084491.tif 000011
【図１０】
2008084491.tif 000012
【図１１】
2008084491.tif 000013
【図１２】
2008084491.tif 000014
【図１３】
2008084491.tif 000015
【図１４】
2008084491.tif 000016
【図１５】
2008084491.tif 000017
【図１６】
2008084491.tif 000018